(57)【要約】      （修正有）【課題】チャンバ本体と、該チャンバ本体内に配置される主要チャンバ支持部とを含む、マルチチャネルイヤホンを提供する。【解決手段】正面フィールドミキシングチャンバ、主要チャンバ、および裏側チャンバがチャンバ本体に形成される。主要スピーカは主要チャンバ支持部あるいは仕切板に配置され、副スピーカはチャンバ本体の突起部に配置され、裏側チャンバは副スピーカおよび主要チャンバ支持部あるいは仕切板の間に形成される。マルチチャネルイヤホン構造はさらに、チャンバ本体の外に配置される、少なくとも一以上の対のチャンバ延長管を含む。各チャンバ延長管の長さおよびチャンバ本体の空間により、イヤホン構造内に生成される合成音場特性がマルチチャネルイヤホンにより調整され出力される。【選択図】図３Ａ
2008259157.tif 000002
【特許請求の範囲】
【請求項１】
チャンバ本体と主要チャンバ支持部とを持つイヤホン本体であって、前記主要チャンバ支持部は複数の穴を持ち、正面フィールドミキシングチャンバ、主要チャンバ、および裏側チャンバが前記チャンバ本体に形成されている、イヤホン本体と、
主要スピーカと第一副スピーカであって、前記主要スピーカが前記主要チャンバ支持部に配置され、前記第一副スピーカが前記チャンバ本体の突起部に配置され、前記裏側チャンバが前記第一副スピーカと前記主要チャンバ支持部との間に形成されている、主要スピーカと第一副スピーカと、
前記チャンバ本体の外に配置され、それぞれ前記チャンバ本体の内部に対向する開口を持つことで前記主要チャンバの一部となる、少なくとも一対のチャンバ延長管であって、前記チャンバ本体の内部空間と前記チャンバ延長管の空間により、前記正面フィールドミキシングチャンバ、前記主要チャンバ、および前記裏側チャンバが前記イヤホン構造内に生成する合成音場特性が前記マルチチャネルイヤホンにより調整され出力される、少なくとも一対のチャンバ延長管とを含む、
マルチチャネルイヤホン構造。
【請求項２】
前記主要チャンバ支持部の前記穴の一部を利用して、前記裏側チャンバが形成する音場を前記正面フィールドミキシングチャンバへ送り、前記合成音場特性を形成する、
請求項１に記載のマルチチャネルイヤホン構造。
【請求項３】
前記主要チャンバ支持部の前記穴の一部を利用して、前記チャンバ本体に前記一対のチャンバ延長管が生成する分離された音場を前記正面フィールドミキシングチャンバへ送り、前記合成音場特性を形成する、
請求項１に記載のマルチチャネルイヤホン構造。
【請求項４】
第二副スピーカと、第三副スピーカとがそれぞれ前記一対のチャンバ延長管に配置され、前記生成された音場がそれぞれ分離された音場を前記チャンバ本体の前記内部空間に形成する、
請求項１に記載のマルチチャネルイヤホン構造。
【請求項５】
前記主要スピーカ、前記第一副スピーカ、前記第二副スピーカ、および前記第三副スピーカがそれぞれ、ＤＶＤ（ｄｉｇｉｔａｌ  ｖｅｒｓａｔｉｌｅ  ｄｉｓｃ）に適したプレーヤがそれら特性に応じて出力する５．１マルチチャネル音源に接続される、
請求項４に記載のマルチチャネルイヤホン構造。
【請求項６】
前記主要スピーカは前記５．１マルチチャネル音源の正面主要チャネルスピーカとして利用され、前記第一副スピーカはスーパバススピーカとして利用され、前記第二副スピーカおよび前記第三副スピーカはそれぞれ中央チャネルスピーカおよびサラウンドチャネルスピーカとして利用される、
請求項５に記載のマルチチャネルイヤホン構造。
【請求項７】
チャンバ本体と主要チャンバ支持部とを持つイヤホン本体であって、前記主要チャンバ支持部は複数の穴を持ち、正面フィールドミキシングチャンバ、主要チャンバ、および裏側チャンバが前記チャンバ本体に形成されている、イヤホン本体と、
主要スピーカと第一副スピーカであって、前記主要スピーカが前記主要チャンバ支持部に配置され、前記第一副スピーカが前記チャンバ本体の突起部に配置され、前記裏側チャンバが前記第一副スピーカと前記主要チャンバ支持部との間に形成されている、主要スピーカと第一副スピーカと、
前記チャンバ本体の外に配置される、少なくとも第二スピーカおよび第三スピーカとを含み、
前記チャンバ本体の内部空間設計により、前記正面フィールドミキシングチャンバ、前記主要チャンバ、および前記裏側チャンバが前記イヤホン構造内に生成する合成音場特性が前記マルチチャネルイヤホンにより調整され出力される、
マルチチャネルイヤホン構造。
【請求項８】
前記主要チャンバ支持部の前記穴の一部を利用して、前記裏側チャンバが形成する音場を前記正面フィールドミキシングチャンバへ送り、前記合成音場特性を形成する、
請求項７に記載のマルチチャネルイヤホン構造。
【請求項９】
前記主要チャンバ支持部の前記穴の一部を利用して、前記一対のチャンバ延長管に前記チャンバ本体が生成する分離された音場を前記正面フィールドミキシングチャンバへ送り、前記合成音場特性を形成する、
請求項７に記載のマルチチャネルイヤホン構造。
【請求項１０】
前記主要スピーカ、前記第一副スピーカ、前記第二副スピーカ、および前記第三副スピーカがそれぞれ、ＤＶＤに適したプレーヤがそれら特性に応じて出力する５．１マルチチャネル音源に接続される、
請求項７に記載のマルチチャネルイヤホン構造。
【請求項１１】
前記主要スピーカは前記５．１マルチチャネル音源の正面主要チャネルスピーカとして利用され、前記第一副スピーカはスーパバススピーカとして利用され、前記第二副スピーカおよび前記第三副スピーカはそれぞれ中央チャネルスピーカおよびサラウンドチャネルスピーカとして利用される、
請求項１０に記載のマルチチャネルイヤホン構造。
【請求項１２】
チャンバ本体と主要チャンバ仕切板とを持つイヤホン本体であって、正面フィールドミキシングチャンバ、主要チャンバ、および裏側チャンバが前記チャンバ本体に形成されている、イヤホン本体と、
主要スピーカと第一副スピーカであって、前記主要スピーカが前記主要チャンバ仕切板に配置され、前記第一副スピーカが前記チャンバ本体の一側面に配置され、前記裏側チャンバが前記第一副スピーカと前記主要チャンバ仕切板との間に形成されている、主要スピーカと第一副スピーカと、
前記チャンバ本体の外に配置される、少なくとも第二スピーカおよび第三スピーカとを含み、
前記チャンバ本体の内部空間設計により、前記正面フィールドミキシングチャンバ、前記主要チャンバ、および前記裏側チャンバが前記イヤホン構造内に生成する合成音場特性が前記マルチチャネルイヤホンにより調整され出力される、
マルチチャネルイヤホン構造。
【請求項１３】
チャンバ本体と主要チャンバ仕切板とを持つイヤホン本体であって、正面フィールドミキシングチャンバ、主要チャンバ、および裏側チャンバが前記チャンバ本体に形成されている、イヤホン本体と、
主要スピーカと第一副スピーカであって、前記主要スピーカが前記主要チャンバ仕切板に配置され、前記第一副スピーカが前記チャンバ本体の一側面に配置され、前記裏側チャンバが前記第一副スピーカと前記主要チャンバ仕切板との間に形成されている、主要スピーカと第一副スピーカと、
前記チャンバ本体の外に配置される、少なくとも一対のチャンバ延長管とを含み、
各チャンバ延長管の長さにより、前記正面フィールドミキシングチャンバ、前記主要チャンバ、および前記裏側チャンバが前記イヤホン構造内に生成する合成音場特性が前記マルチチャネルイヤホンにより調整され出力される、
マルチチャネルイヤホン構造。
【請求項１４】
第二副スピーカおよび第三副スピーカがそれぞれ前記一対のチャンバ延長管に配置される、
請求項１３に記載のマルチチャネルイヤホン構造。
【請求項１５】
前記主要スピーカ、前記第一副スピーカ、前記第二副スピーカ、および前記第三副スピーカがそれぞれ、ＤＶＤに適したプレーヤがそれら特性に応じて出力する５．１マルチチャネル音源に接続される、
請求項１３に記載のマルチチャネルイヤホン構造。
【請求項１６】
前記主要スピーカは前記５．１マルチチャネル音源の正面主要チャネルスピーカとして利用され、前記第一副スピーカはスーパバススピーカとして利用され、前記第二副スピーカおよび前記第三副スピーカはそれぞれ中央チャネルスピーカおよびサラウンドチャネルスピーカとして利用される、
請求項１５に記載のマルチチャネルイヤホン構造。
【発明の詳細な説明】
【技術分野】
【０００１】
本発明はマルチチャネルイヤホンに関している。より詳しくは、本発明は、音場調整可能なマルチチャネルイヤホンに関している。
【背景技術】
【０００２】
デジタル技術の発展に伴い、生活・娯楽は徐々にデジタル化されてきている。例えば、デジタルビデオディスク（通例ＤＶＤと言及される）プレーヤは一般家庭においてビデオプレーヤとして使用されている。ＤＶＤプレーヤは基本的にドルビー・デジタルあるいはデジタルシアターシステム（ＤＴＳ）をデコードする機能を持っているので、デジタル信号をデコードし、アナログ信号をスピーカに出力して対応する音声を生成することができる。
【０００３】
高品質のデジタルビデオリクリエーションライフを楽しむためには、マルチチャネルスピーカが不可欠な機器であり、５．１チャネルスピーカが最も基本的なものである。
【０００４】
図１は５．１チャネルスピーカを持つホームシアターの概略図である。図１を参照すると、ＤＶＤプレーヤ１００がビデオを再生するとき、正面主要チャネルの左スピーカ１０２ａ、右スピーカ１０２ｂ、サラウンドチャネルの中央チャネルスピーカ１０４、左スピーカ１０６ａ、右スピーカ１０６ｂ、およびスーパバススピーカ１０８には異なる音声信号が出力され、三次元サウンドエフェクトを生成して人々にあたかもその場所にいるような臨場感を与えている。
【０００５】
しかし、音声を再生するスピーカを使用するのが不適切な状況においては（例えば、他人を妨害したくない場合）、イヤホンが必要となる。図２Ａを参照すると、通常のイヤホン２００ａにおいては、唯一のスピーカ２１０が左側・右側それぞれに配置されていて、ユーザはＤＶＤプレーヤの出力するマルチチャネルサウンドエフェクトを楽しむことができない。
【０００６】
従って、図２Ｂに示すように、従前例としては、複数のスピーカが配されたイヤホンがある。イヤホン２００ｂにとっては、正面主要チャネルスピーカ２０２、中央チャネルスピーカ２０４、およびサラウンドチャネルスピーカ２０６がそれぞれ左側・右側に配置されており、それに特別に設計されたプラグ２０８が続いて設けられ、ＤＶＤプレーヤが異なるスピーカへプラグ２０８を通して様々なチャネルの音声信号を出力し、図１のようなホームシアターの５．１チャネルサウンドエフェクトを生成できるようにしている。しかし、通常のイヤホン２００ｂはデジタル方式により音声信号を出力する際の遅延を制御しており（例えば、回路設計などにより）、出力音場は比較的弱い。出力音場は、図１に示すホームシアターの５．１チャネルスピーカよりもずっと悪いので、マルチチャネルサラウンドサウンドエフェクトの品質・有効性を顕すことはできない。
【発明の開示】
【０００７】
よって、本発明は、マルチチャネルイヤホンとその構造に関する。正面フィールドミキシングチャンバ、主要チャンバ、および裏側チャンバが、イヤホン本体のチャンバ本体に形成されている。前記主要スピーカは主要チャンバ支持部あるいは仕切板に配置され、副スピーカはチャンバ本体の裏側に配置され、裏側チャンバは副スピーカと主要チャンバ支持部あるいは仕切板の間に配置される。チャンバ本体の空間により、正面フィールドミキシングチャンバ、主要チャンバ、および裏側チャンバがイヤホン構造内に生成する合成音場特性がマルチチャネルイヤホンにより調整され出力される。
【０００８】
マルチチャネルイヤホンとその構造はさらに、チャンバ本体の側壁に配置される副スピーカを含む。チャンバ本体の空間によれば、正面フィールドミキシングチャンバ、主要チャンバ、および裏側チャンバがイヤホン構造内に生成する合成音場特性が調整される。
【０００９】
マルチチャネルイヤホンとその構造はさらに、主要な空胴構造上に配置される一以上の対の延長チャンバを含む。チャンバ延長管により延長された構造により、音場の深さと幅が増し、これにより延長チャンバのマルチチャネルイヤホンは依然、最小限の音量で飽和音場およびマルチチャネルサラウンドサウンドエフェクトを持つ。
【００１０】
一以上のチャンバ延長管がチャンバ本体の外に配置される。各チャンバ延長管の長さにより、イヤホン構造に形成される合成音場特性が変化して、合成音場と正面フィールドミキシングチャンバ音場とが、マルチチャネルイヤホンによりミキシングされ出力される。
【００１１】
マルチチャネルイヤホン構造においては、合成音場の効果を向上させる目的から副スピーカがそれぞれ少なくとも二つのチャンバ延長管に配置される。
【００１２】
マルチチャネルイヤホン構造においては、主要スピーカおよび複数の副スピーカがそれぞれ、ＤＶＤ（ｄｉｇｉｔａｌ  ｖｅｒｓａｔｉｌｅ  ｄｉｓｃ）に適したプレーヤが出力する５．１マルチチャネル音源に接続される。一実施形態においては、主要スピーカが５．１マルチチャネル音源の正面主要チャネルスピーカとして利用され、副スピーカのうちの一つをスーパバススピーカ、中央チャネルスピーカ、あるいはサラウンドチャネルスピーカとして利用できる。
【００１３】
上述の、およびその他の本発明の目的、特徴、および利点の理解を促すべく、好ましい実施形態を図面とともに以下で詳細に説明する。
【００１４】
上述の一般的な記載、および以下の詳細な記載は共に例示であり、請求される発明のさらなる説明を提供することが意図されていることが理解されるべきである。
【発明を実施するための最良の形態】
【００１５】
本発明は、延長チャンバのマルチチャネルイヤホンが依然、最小限の音量で飽和音場およびマルチチャネルサラウンドサウンドエフェクトを持つことのできるマルチチャネルイヤホン構造を提供する。
【００１６】
本発明は、マルチチャネルとその構造を提供する。イヤホン本体はチャンバ本体と、チャンバ本体に配置される主要チャンバ支持部あるいは仕切板とを含む。正面フィールドミキシングチャンバ、主要チャンバ、および裏側チャンバがチャンバ本体に形成される。主要スピーカが主要チャンバ支持部あるいは仕切板の上に配置され、副スピーカがチャンバ本体の裏側に配置され、裏側チャンバは副スピーカおよび主要チャンバ支持部の間に形成される。チャンバ本体の空間によれば、正面フィールドミキシングチャンバ、主要チャンバ、および裏側チャンバがイヤホン構造内に生成する合成音場特性が、マルチチャネルイヤホンにより調整され出力される。
【００１７】
一実施形態によれば、マルチチャネルイヤホンとその構造がさらに、チャンバ本体の外に配置される一以上のチャンバ延長管を含む。副スピーカはチャンバ本体の外の各チャンバ延長管の最も外側の端部に選択的に配置される。各チャンバ延長管は、合成チャンバ空胴の信号特性により空間構造に適切な配置をなし、主要音場の一部を形成する。音場の深さと幅はチャンバ延長管の延長構造により増やされる。
【００１８】
マルチチャネルイヤホン構造においては、主要チャンバ支持部は穴を持つ。穴の一部を利用して、裏側チャンバで生成される音場を正面フィールドミキシングチャンバへ送り、合成音場特性を形成する。穴の他の部分は、チャンバ本体に一対のチャンバ延長管により生成される個別の音場を正面フィールドミキシングチャンバへ送り、合成音場特性を形成するのに利用される。
【００１９】
別の選択的実施形態においては、マルチチャネルイヤホンとその構造はさらに、チャンバ本体の側壁に位置する複数の副スピーカを含む。チャンバ本体内の空間によれば、正面フィールドミキシングチャンバ、主要チャンバ、および裏側チャンバによりイヤホン構造内に生成される合成音場特性が調整される。
【００２０】
別の選択的実施形態においては、マルチチャネルイヤホンとその構造はさらに、チャンバ本体の外に配置される一以上のチャンバ延長管を含む。副スピーカが、チャンバ本体の外の各チャンバ延長管の最も外側の端部に選択的に配置される。各チャンバ延長管は、合成チャンバ空胴の信号特性により空間構造に適切な配置をなす。音場の深さと幅はチャンバ延長管の延長構造により増やされる。
【００２１】
上述の実施形態においては、正面フィールドミキシングチャンバは、より良い音声ミキシング効果を達成するために音声ミキシング材料を選択的に採用することもできる。例えば、トーンを調整するために発泡ゴム輪が加えられる。
【００２２】
本発明が提供するマルチチャネルイヤホンは、例えば５．１チャネルあるいは７．１チャネルプレーヤに適している。一つの体化された実施形態においては、例えば、ＤＶＤプレーヤが出力する５．１チャネル音源の任意の単一信号が、イヤホン本体の音声管チャンバから個別に引き出される。例えば、イヤホンがＤＶＤプレーヤの５．１チャネル音源に適用されると、主要スピーカが正面フィールドミキシングチャンバの裏側に配置され、スーパバススピーカが主要スピーカの裏側（つまり、合成チャンバ空胴の裏側）に配置される。加えて、サラウンド音場のスピーカがチャンバ延長管に配置され、音場の深さと幅を調整する。もちろん、本発明の提供するマルチチャネルイヤホンはＤＶＤプレーヤの５．１チャネル音源に単に適しているだけではなく、本発明を限定しない以下の例示で例としての役目を果たす。
【００２３】
本発明を例示する目的から好ましい実施形態を以下で使用する。以下の実施形態は本発明を限定するのではなく例示を促すために利用されることに注意されたい。
【００２４】
図３Ａ−３Ｄはそれぞれ、本発明の好ましい実施形態によるマルチチャネルイヤホン３００の正面側の図、裏面側の図、正面図、裏面図である。図３Ａ−３Ｄは本発明のイヤホンの一側面だけを示しているが、本技術分野の当業者であれば、他の側面（不図示）の構造が図３Ａ−３Ｄの側面と当然同じであることを理解すべきであることは注意すべきであり、ここではその詳細を再度述べることはしない。
【００２５】
図３Ａ−３Ｄを参照すると、マルチチャネルイヤホン構造３００は少なくともチャンバ本体３１０、主要スピーカ３４０、副スピーカ３５０、およびチャンバ延長管３２０、３３０を含む。チャンバ本体３２０は正面フィールドミキシングチャンバ部３１２および裏側チャンバ部３１４を含む。主要チャンバ支持部３１３は正面フィールドミキシングチャンバ部３１２と裏側チャンバ部３１４の内部の間に形成される。主要チャンバ支持部３１３は複数の穴３１５Ａ−３１５Ｄを持つ。穴３１５Ａおよび３１５Ｂを利用して、裏側チャンバ部３１４により生成される音場を正面フィールドミキシングチャンバ部３１２へ送り、そこでミキシングして、その後、方向３６０にいるリスナーへ送る。主要スピーカ３４０は主要チャンバ支持部３１３の複数の穴３１５Ａ−３１５Ｄの間に配置される。正面フィールドミキシングチャンバ部３１２はリスナーのいる方向３６０に、ある深さを持ち、正面フィールドミキシングチャンバとしての役目を果たす空間を形成するが、ここで深さはマルチチャネルイヤホン構造３００の要件により設計される。
【００２６】
裏側チャンバ部３１４は主要チャンバ支持部３１３と、チャンバ本体３１０の裏側の突起部３１７との間に空間を形成して、裏側チャンバ空胴を形成する。副スピーカ３５０がチャンバ本体３１０の裏側の突起部３１７に固定される。
【００２７】
チャンバ延長管３２０、３３０はチャンバ本体３１０の外周に配置され、この実施形態において音場出口は、主要チャンバ支持部３１３の穴３１５Ｃ、３１５Ｄにそれぞれ対向している。各穴３１５Ｃ、３１５Ｄ内に主要チャンバ支持部３１３により設けられる分離されたチャンバ空間の大きさは、本発明が提供するイヤホン主要空胴構造の設計で考慮されるファクタであり、分離されたチャンバの幅３１９Ｃ、３１９Ｄもまた設計の特徴である。穴３１５Ｃおよび３１５Ｄに形成される分離されたチャンバが生成する音場は正面フィールドミキシングチャンバ部３１２に送られ、そこでミキシングされ、その後、方向３６０にいるリスナーへ送られる。
【００２８】
大きさは、スピーカの特徴により算出されるチャンバ本体３１０の空間配分量により変化することができる。つまり、大きさは、主要チャンバ、裏側チャンバ、および正面フィールドミキシングチャンバの空間により調整することができる。副スピーカは、チャンバ延長管３２０、３３０の最も外側の端部に選択的に配置される（例えば図に示す副スピーカ３２５、３３５）。もちろん、一実施形態においては、チャンバ延長管３２０、３３０の最も外側の端部に副スピーカが設けられていなくてもよく、主要チャンバ空胴空間の延長としてだけ機能してもよい。主要チャンバ空胴では、チャンバ延長管３２０、３３０は信号特性により空間構造に適切な配置をなし、主要チャンバ空胴の空間を調整し、音場の深さと幅を増す。もちろん、別の実施形態においては、チャンバ延長管３２０、３３０の音場出口もまた、裏側チャンバに対向することもできるが、これは設計の要件によって調整することができる。
【００２９】
チャンバ本体３１０および音場を延長するチャンバは、マルチチャネルイヤホン構造３００の本体を構成し、主要チャンバに適切な空間配置がなされ、チャンバ本体（例えば副スピーカ３２５、３３５）の外に伸びるチャンバ延長管３２０、３３０のチャンバ、およびチャンバの正面および裏側スピーカ（主要スピーカ３４０および副スピーカ３５０）により形成される音場空間とともに、適切な空間音場量を形成する。このようなわけなので、空間音場は、主要空胴の正面フィールドミキシングチャンバに配置されるトーン調整材料と整合することができ、合成チャンバが複数の音源信号を受け取る際、明示レベルとともに飽和音場を形成する。
【００３０】
この実施形態が提供するマルチチャネルイヤホン構造３００はＤＶＤプレーヤが出力する５．１マルチチャネル音源に適用することができる。例えば、主要スピーカ３４０が正面主要チャネルスピーカとして利用され、副スピーカ３５０がスーパバススピーカとして利用され、中央チャネルスピーカおよびサラウンドチャネルスピーカがそれぞれ、チャンバ延長管３２０、３３０の副スピーカ３２５、３３５に配置される。シェルにくるまれた後、マルチチャネルイヤホン構造３００はマルチチャネルイヤホンの左・右側のイヤホンとなり、ユーザの傾聴に具される。
【００３１】
図３Ｅは本発明の上述の実施形態によるマルチチャネルイヤホン構造３００の一部断面図および分解図であり、同じ要素は同じ記号で表している。マルチチャネルイヤホン構造３００は少なくともチャンバ本体３１０、主要スピーカ３４０、副スピーカ３５０、およびチャンバ延長管３２０、３３０を含む。チャンバ本体３１０は、正面フィールドミキシングチャンバ部３１２、裏側チャンバ空胴部３１４、およびチャンバ延長管３２０、３３０が信号特性によって空間構造を調整した後に穴３１５Ｃ、３１５Ｄ内にそれぞれ形成される分離チャンバ部を含む。図面からは明らかに、チャンバ延長管３２０、３３０の音場出口がそれぞれ、主要チャンバ支持部３１３の穴３１５Ｃ、３１５Ｄに形成されている空間に対向しており、これにより調整可能な空間を持つ分離チャンバが形成されているのが分かる。
【００３２】
図４Ａ−４Ｂは本発明の別の実施形態によるマルチチャネルイヤホン構造４００の正面側の図および裏面側の図である。図４Ａ−４Ｂは本発明のイヤホンの一側面だけを示しているが、本技術分野の当業者であれば、他の側面（不図示）の構造が図４Ａ−４Ｂの示す側面と当然同じであることを理解すべきであることは注意すべきであり、ここではその詳細を再度述べることはしない。
【００３３】
図４Ａ−４Ｂを参照すると、マルチチャネルイヤホン構造４００は少なくともチャンバ本体４１０、主要スピーカ４４０、副スピーカ４５０を含む。チャンバ本体４１０は正面フィールドミキシングチャンバ部４１２および裏側チャンバ部４１４を含む。主要チャンバ支持部４１３は正面フィールドミキシングチャンバ部４１２と裏側チャンバ部４１４の内部の間に形成される。主要チャンバ支持部４１３は複数の穴４１５Ａ−４１５Ｄを持つ。穴４１５Ａおよび４１５Ｂを利用して、裏側チャンバ部４１４により生成される音場を正面フィールドミキシングチャンバ部４１２へ送り、そこでミキシングして、その後、方向４６０にいるリスナーへ送る。主要スピーカ４４０は主要チャンバ支持部４１３の複数の穴４１５Ａ−４１５Ｄの間に配置される。正面フィールドミキシングチャンバ部４１２はリスナーのいる方向４６０に、ある深さを持ち、正面フィールドミキシングチャンバとしての役目を果たす空間を形成するが、ここで深さはマルチチャネルイヤホン構造４００の要件により設計される。
【００３４】
裏側チャンバ部４１４は主要チャンバ支持部４１３と、チャンバ本体４１０の裏側の突起部４１７との間に空間を形成して、裏側チャンバ空胴を形成する。副スピーカ４５０がチャンバ本体４１０の裏側の突起部４１７に固定される。
【００３５】
図３Ａ−３Ｅの実施形態との違いは、チャンバ延長管がチャンバ本体４１０の外周に必要ないことである。しかし、副スピーカ４２５、４３５は同じ位置に配置され、この実施形態では、音場出口が主要チャンバ支持部４１３の穴４１５に対向している。各穴４１５Ｃ、４１５Ｄ内に主要チャンバ支持部４１３により設けられる分離されたチャンバ空間の大きさは、本発明が提供するイヤホン主要空胴構造の設計で考慮されるファクタであり、分離されたチャンバの幅４１９Ｃ、４１９Ｄもまた設計の特徴である。穴４１５Ｃおよび４１５Ｄに形成される分離されたチャンバが生成する音場は正面フィールドミキシングチャンバ部４１２に送られ、そこでミキシングされ、その後、方向４６０にいるリスナーへ送られる。
【００３６】
この実施形態が提供するマルチチャネルイヤホン構造４００はＤＶＤプレーヤが出力する５．１マルチチャネル音源に適用することができる。例えば、主要スピーカ４４０が正面主要チャネルスピーカとして利用され、副スピーカ４５０がスーパバススピーカとして利用され、中央チャネルスピーカおよびサラウンドチャネルスピーカがそれぞれ副スピーカ４２５、４３５として利用される。シェルにくるまれた後、マルチチャネルイヤホン構造４００はマルチチャネルイヤホンの左・右側のイヤホンとなり、ユーザの傾聴に具される。
【００３７】
図５は、本発明の別の実施形態によるマルチチャネルイヤホン構造５００の正面側の図および裏面側の図である。図５は単に本発明のイヤホンの一側面だけを示しているが、本技術分野の当業者であれば、他の側面（不図示）の構造が図５の側面と当然同じであることを理解すべきであることは注意すべきであり、ここではその詳細を再度述べることはしない。
【００３８】
図５を参照すると、マルチチャネルイヤホン構造５００は少なくともチャンバ本体５１０、主要スピーカ５４０、および副スピーカ５５０を含む。チャンバ本体５１０は正面フィールドミキシングチャンバ５１２および裏側チャンバ５１４を含む。主要チャンバ仕切板５１３は正面フィールドミキシングチャンバ５１２と裏側チャンバ５１４の内部の間に形成される。主要チャンバ仕切板５１３は主に主要スピーカ５４０を固定するのに利用される。加えて、副スピーカ５５０はチャンバ本体５１０の裏側に固定される。裏側チャンバ５１４により生成される音場は正面フィールドミキシングチャンバ５１２へ送られ、そこでミキシングされ、その後、方向５６０にいるリスナーへ送られる。正面フィールドミキシングチャンバ５１２はリスナーのいる方向５６０に、ある深さを持ち、正面フィールドミキシングチャンバ５１２としての役目を果たす空間を形成するが、ここで深さはマルチチャネルイヤホン構造５００の要件により設計される。
【００３９】
図３Ａ−３Ｄの実施形態との違いは、主に主要スピーカ５４０を固定する目的から、主要チャンバ仕切板５１３が正面フィールドミキシングチャンバ５１２と裏側チャンバ５１４との間に設けられていることである。加えて、チャンバ本体５１０は、図３Ａ−
３Ｄの実施形態同様、チャンバ延長管およびその他の副スピーカを持つ。あるいは、別の実施形態においては、図５に示すように、副スピーカ５２５、５３５がチャンバ本体５１０の外に直接配置される。この実施形態においては、図面で符号５３７で示される音場出口が裏側チャンバ５１４に対向している。別の実施形態においては、音場出口はさらに正面フィールドミキシングチャンバ５１２に対向していてもよく、これは設計の要件によって調整することができる。
【００４０】
この実施形態が提供するマルチチャネルイヤホン構造５００はＤＶＤプレーヤが出力する５．１マルチチャネル音源に適用することができる。例えば、主要スピーカ５４０が正面主要チャネルスピーカとして利用され、副スピーカ５５０がスーパバススピーカとして利用され、中央チャネルスピーカおよびサラウンドチャネルスピーカがそれぞれ、副スピーカ５２５、５３５として利用される。シェルにくるまれた後、マルチチャネルイヤホン構造５００はマルチチャネルイヤホンの左・右側のイヤホンとなり、ユーザの傾聴に具される。
【００４１】
本技術分野の当業者にとっては、発明の範囲あるいは精神を逸脱することなく、本発明の構造に様々な変更および変形を加えることができることが明らかであろう。前述に鑑みて、本発明は、以下の請求項およびその均等物の範囲内でさえあれば発明の変更および変形を網羅することを意図している。
【図面の簡単な説明】
【００４２】
付随する図面は発明のさらなる理解を提供するために含められ、本明細書に組み込まれ、本明細書の一部を構成する。図面は発明の実施形態を図示し、開示と共に発明の原理を説明する役目を果たす。
【００４３】
【図１】５．１チャネルスピーカを持つホームシアターの概略図である。
【００４４】
【図２Ａ】従前のイヤホンの側部断面図である。
【００４５】
【図２Ｂ】別の従前のイヤホンの側部断面図である。
【００４６】
【図３Ａ−３Ｄ】本発明の好ましい実施形態によるマルチチャネルイヤホンの正面側の図、裏面側の図、正面図、裏面図をそれぞれ示す。
【００４７】
【図３Ｅ】図３Ａ−３Ｄの本発明の好ましい実施形態によるマルチチャネルイヤホン構造３００の部分断面図および分解図を示す。
【００４８】
【図４Ａ−４Ｂ】本発明の別の実施形態によるマルチチャネルイヤホン構造４００の正面側の図および裏面側の図をそれぞれ示す。
【００４９】
【図５】本発明の別の実施形態によるマルチチャネルイヤホン構造５００の正面側の図および裏面側の図をそれぞれ示す。
【図１】
2008259157.tif 000003
【図２Ａ】
2008259157.tif 000004
【図２Ｂ】
2008259157.tif 000005
【図３Ａ】
2008259157.tif 000006
【図３Ｂ】
2008259157.tif 000007
【図３Ｃ】
2008259157.tif 000008
【図３Ｄ】
2008259157.tif 000009
【図３Ｅ】
2008259157.tif 000010
【図４Ａ】
2008259157.tif 000011
【図４Ｂ】
2008259157.tif 000012
【図５】
2008259157.tif 000013
【外国語明細書】
2008259157.tif 000014
2008259157.tif 000015
2008259157.tif 000016
2008259157.tif 000017
2008259157.tif 000018
2008259157.tif 000019
2008259157.tif 000020
2008259157.tif 000021
2008259157.tif 000022
2008259157.tif 000023
2008259157.tif 000024
2008259157.tif 000025
2008259157.tif 000026
2008259157.tif 000027
2008259157.tif 000028
2008259157.tif 000029
2008259157.tif 000030
2008259157.tif 000031
2008259157.tif 000032
2008259157.tif 000033
2008259157.tif 000034
2008259157.tif 000035
2008259157.tif 000036
2008259157.tif 000037
2008259157.tif 000038
2008259157.tif 000039
2008259157.tif 000040
2008259157.tif 000041
2008259157.tif 000042
2008259157.tif 000043
2008259157.tif 000044